(57)【要約】【課題】裸足歩行時の重心移動に近似した重心移動を可能にするとともに、長時間靴を使用している場合における足部の疲労を防止することも可能な靴及びそれに用いる中敷きを提供すること。【解決手段】少なくともアウトソール２とアッパー３と前記アウトソール２における踵が当接する部分以外の部分に備えた中敷き１１と、を備え、前記中敷き１１は、袋状とした外皮１２と外皮１２内に収容した複数個のブロック１３とを具備するとともに、前記ブロック１３は、弾性体で構成するとともに、前記外皮１２内の底部のほぼ全域に、間隔をおいて固着しており、荷重がかかると前方に倒れ込み、かかっていた荷重が解除されると元の位置に復元可能としたことを特徴とし、これにより、ブロック群を裸足歩行時の重心移動部に一致させて配列することで裸足歩行時の重心移動に近似した重心移動を得ることを可能とした。【選択図】図１
2009045213.tif 000002
【特許請求の範囲】
【請求項１】
少なくとも、アウトソール（２）と、アッパー（３）と、前記アウトソール（２）における踵が当接する部分以外の部分に備えた中敷き（１１）と、を備えた靴であって、
前記中敷き（１１）は、
袋状とした外皮（１２）と、該外皮（１２）内に収容した複数個のブロック（１３）とを具備するとともに、
前記ブロック（１３）は、弾性体で構成するとともに、前記外皮（１２）内の底部のほぼ全域に、間隔をおいて固着しており、荷重がかかると前方に倒れ込み、かかっていた荷重が解除されると元の位置に復元可能とした、ことを特徴とする靴。
【請求項２】
少なくともアウトソール（２）とアッパー（３）とを具備した靴の内部における踵が挿入される箇所以外の箇所に備えられる中敷きであって、
袋状とした外皮（１２）と、該外皮（１２）内に収容した複数個のブロック（１３）とを具備するとともに、
前記ブロック（１３）は、弾性体で構成するとともに、前記外皮（１２）内の底部のほぼ全域に、間隔をおいて固着しており、荷重がかかると前方に倒れ込み、かかっていた荷重が解除されると元の位置に復元可能とした、ことを特徴とする中敷き。
【発明の詳細な説明】
【技術分野】
【０００１】
本発明は靴及びそれに用いる中敷きに係り、より詳しくは、裸足歩行時の重心移動に近似した重心移動を可能にした靴及びそれに用いる中敷きに関する。
【背景技術】
【０００２】
一般的に靴には歩行性能が良いことが求められるが、この歩行性を良くするために、従来から、靴の衝撃吸収性能を良くし、これにより、歩行の際に使用者が受ける衝撃を緩和して、歩行によって使用者の負担を少なくして歩行性能を良くした靴が提供されている。
【０００３】
しかしながら、靴の衝撃吸収性能を良くして歩行の際に使用者が受ける衝撃を緩和した場合であっても、歩行の際の使用者の負担を少なくするには不十分であり、そのため、使用者の足に各種の障害を引き起こしてしまうおそれがある。
【０００４】
即ち、歩行時には、足部の外来筋群や内在筋群が収縮することにより足底において重心が踵から趾に移動して推進力を得ているが、裸足歩行時と靴装着歩行時では重心の移動する部位が異なり、両者における収縮筋の働く時期と程度もこれに伴って異なってくる。
【０００５】
そして、この裸足歩行時と靴装着歩行時の重心の移動の違いが大きい靴を装着すると、足部の易疲労性や障害を起こすと考えられているために、靴による足部の易疲労性や障害を防止するためには、靴装着歩行時の重心の移動する部位を裸足歩行時のそれにできるだけ近づける必要がある。
【０００６】
また、重心移動の主な推進力は足部の外来筋群、内在筋群であり、そのために長時間靴を使用していると足部は疲労してしまうので、長時間の使用によっても足部の疲労を少なくするためには、足部の筋群にかかる負担を少なくする必要がある。
【０００７】
しかしながら、従来の靴又は中敷きでは、中敷きの形状を工夫することによりこのような問題を解決しようとしており、そのために、重心移動部を裸足歩行時のそれと完全に一致させることが困難であるとともに、長時間靴を使用している場合の足部の疲労を防止することも困難であった。
【特許文献１】特開平６−１８１８０２号公報
【特許文献２】特開平６−２９６５０４号公報
【特許文献３】特開２００２−１６５６０８号公報
【特許文献４】特開２００２−２９１５０１号公報
【特許文献５】特開２００４−１８１１８２号公報
【特許文献６】特開２００５−１８５７４８号公報
【発明の開示】
【発明が解決しようとする課題】
【０００８】
そこで、本発明は、裸足歩行時の重心移動に近似した重心移動を可能にするとともに、長時間靴を使用している場合における足部の疲労を防止することも可能な靴及びそれに用いる中敷きを提供することを課題としている。
【課題を解決するための手段】
【０００９】
本発明の靴は、アウトソールと、アッパーと、前記アウトソールにおける踵が当接する部分以外の部分に備えた中敷きと、を具備した靴であって、
前記中敷きは、袋状とした外皮と、該外皮内に収容した複数個のブロックとを具備するとともに、
前記ブロックは、弾性体で構成するとともに、前記外皮内の底部のほぼ全域に、間隔をおいて固着しており、荷重がかかると前方に倒れ込み、かかっていた荷重が解除されると元の位置に復元可能とした、ことを特徴としている。
【発明の効果】
【００１０】
本発明においては、袋状とした外皮の中に複数個のブロックを具備した中敷きを備えており、前記ブロックはそれぞれ、弾性体で構成しており、荷重がかかると前方に倒れ込み、かかっていた荷重が解除されると元の位置に復元可能としている。
【００１１】
そのため、ブロック群を裸足歩行時の重心移動部に一致させて配列することにより、裸足歩行の場合の重心移動に近似した重心移動を得ることが可能であり、これにより、足部の易疲労性や障害を防止することができる。
【００１２】
また、ブロックに荷重をかけるだけでブロックが倒れて重心が移動していくために、足部の筋群にかかる負担が従来の靴に比較して少なくなり、それにより、長時間使用した場合でも足が疲れにくくなる。
【発明を実施するための最良の形態】
【００１３】
本発明の靴では、地面に設置するアウトソールと、このアウトソールの周縁部に連設された、足の甲部分を包み込むアッパーと、前記アウトソールの上部における踵が当接する部分以外の部分に備えた中敷きを具備し、前記中敷きは、袋状とした外皮と、この外皮内に収容した複数個のブロックとを具備している。
【００１４】
そして、前記ブロックは、弾性体で構成するとともに、前記外皮内の底部のほぼ全域に、間隔をおいて固着しており、荷重がかかると前方に倒れ込み、かかっていた荷重が解除されると元の位置に復元可能としている。
【実施例１】
【００１５】
本発明の靴の実施例について図面を参照して説明すると、図１は本実施例の靴の縦断側面構造を示す図であり、図において、本実施例の靴１は、一般的な靴と同様に、地面、床面等に接地するアウトソール２を有している。
【００１６】
そして、このアウトソール２の周縁部には、足全体を包み込むためのアッパー３の下端部分が連設されており、前記アウトソール２とアッパー３とにより囲まれる空間内４内に足を挿入可能としている。
【００１７】
なお、前記アッパー３の構成は特に限定されず、足の甲部分全体を包み込むことが可能であればいずれの構成でも良い。従って、靴ひもを備えた形態としてもよく、あるいは靴ひもを備えない形態としてもよい。
【００１８】
次に、図において１１は中敷きである。即ち、本実施例の靴１では、前記アウトソール２の上部における、使用者の踵が当接する部分以外の部分に中敷き１１を備えており、これにより、裸足歩行の場合の重心移動に近似した重心移動を得て足部の易疲労性や障害を防止し、更に、足部の筋群にかかる負担を少なくして、長時間使用した場合でも足を疲れにくくしている。
【００１９】
ここで、前記中敷き１１について詳細に説明すると、図２は前記中敷き１１を一部切り欠いて示した概略斜視図である。
【００２０】
そして、本実施例における前記中敷き１１は、扁平な袋状とした外皮１２を有しており、この外皮１２の内部は、複数個のブロック１３で満たされている。
【００２１】
ここで、前記ブロック１３について説明すると、本実施例において前記ブロック１３はそれぞれ、スポンジ等の弾性体により構成されており、縦長の直方体形状とし、高さ１０ｍｍ程度、幅５ｍｍ程度としている。
【００２２】
そして、その底部が前記外皮１２内の底部に固着されているとともに、それぞれのブロック１３は、隣り合うブロック１３との間にわずかに間隔を置いて配置され、歩行に伴って荷重がかかると前方に倒れ込み、かかっていた荷重が解除されると元の位置に復元可能としている。
【００２３】
この関係について図３を参照して説明すると、図３はブロック１３の作用を説明するための図であり、（ａ）において、歩行に伴って、足の裏によってブロック１３ａに荷重がかかると、荷重がかかったブロック１３ａは、すぐ前方に配置されたブロック１３ｂへ倒れていく。
【００２４】
次に、後側のブロック１３ａに倒れかかられたブロック１３ｂは、後側のブロック１３ａからの圧力によってすぐ前方に配置されたブロック１３ｃへ倒れていくとともに、歩行の進行に伴って荷重が解除された後部のブロック１３ａは弾性によって元の位置に復元する。
【００２５】
そして次に、図において真ん中に位置するブロック１３ｂに倒れかかられたブロック１３ｃは、後部のブロック１３ｂからの圧力によってすぐ前方に配置されたブロック（図示せず）側へ倒れていくとともに、歩行の進行に伴って荷重が解除された後部のブロック１３ｂは弾性によって元の位置に復元し、以後は歩行に伴ってこれが繰り返され、これによって重心が移動していく。
【００２６】
そのために、ブロック１３を、裸足歩行時の重心移動部に一致して配列することにより、靴内において、裸足歩行時と近似した足部の重心移動が生じることになり、これによって、足部の易疲労性や障害を防止することができる。
【００２７】
また、ブロックに荷重をかけるだけでブロックが倒れて重心が移動していくために、足部の筋群にかかる負担が従来の靴に比較して少なくなり、それにより、長時間使用した場合でも足が疲れにくくなる。
【００２８】
このように、本実施例における中敷き１１では、歩行に伴って各ブロック１３が順次前方に倒れ込んでいくため、ブロック１３を裸足歩行時の重心移動部に一致して配列することで、靴内においては裸足歩行時と近似した足部の重心移動を得ることができて足部の易疲労性や障害を防止することができるとともに、足部の筋群にかかる負担を少なくして、長時間使用した場合でも足を疲れにくくすることができる。従って、この中敷き１１を備えた本実施例の靴１では、足部の易疲労性や障害を防止することができる。
【００２９】
なお、前記中敷き１１は、前記アウトソール２の上部に配置されていればよく、前記アウトソール２の上部に固着してもよく、あるいは着脱自在に載置してもよい。
【００３０】
次に、図において２１は第２の中敷きであり、即ち本実施例の靴では、アウトソール２上において、使用者の踵が当接する部分に第２の中敷き２１を備えており、この第２の中敷き２１の存在により、使用者の踵の形状に左右されずに、靴を装着した際に靴を踵の形状に適合可能としている。
【００３１】
即ち、足に適合しない靴を履き続けると、外反母趾や内反小趾、後脛骨筋腱機能不全症、嵌入爪、鉤状趾といった靴による足の障害を引き起こすことが知られているため、これらの障害の発生を防止するためには、足に適合した靴を履くことが好ましいところ、靴を足に適合させるには、踵の形状に合った靴を選択し、さらに靴ひもを締めることにより踵を靴に圧着させる必要がある。
【００３２】
しかしながら、踵の形状は人によって異なるために、従来の既製靴では、すべての踵の形状に合わせることは困難である一方、オーダーメード靴では使用者の踵の形状に合わせて靴を作製することはできるが、高価であり、採寸から作製までに時間がかかり大量生産できず、限られた人しか使用できないという問題点がある。
【００３３】
更に、靴を足に適合させるには、靴ひもを締めなければならないために、靴を履くたび毎に、また、履いた後も定期的に、靴ひもを締める必要があるが、実際にこの作業を行っている人はまれである。
【００３４】
そのために、現実には、大多数の人が、足に適合しない靴を履いていると考えられ、このことが、外反母趾や内反小趾、後脛骨筋腱機能不全症、嵌入爪、鉤状趾といった靴による足の障害が減らない原因であると考えられるが、この問題を解決可能な靴は提供されていなかった。そこで、本実施例の靴１では、靴を足に適合させるために、第２の中敷き２１を具備した形態としている。
【００３５】
ここで、第２の中敷き２１について詳細に説明すると、図４は前記第２の中敷き２１を正面側から示した概略斜視図であり、また、図５は前記第２の中敷き２１の縦断正面構造を示す断面図である。
【００３６】
そして、本実施例における前記第２の中敷き２１は、踵部分が当接可能な底部２３を有しており、この底部２３は弾性素材により構成されている。
【００３７】
また、前記底部２３は、中央部分に向けて僅かに山型に凸形状として凸状部２３０１が形成されている。即ち、図４において点線で囲まれた部分が凸状部２３０１であり、この凸状部２３０１及びその近傍は、踵による荷重を受けることによって下方側へ変形し、加わった荷重が無くなるか少なくなると元の形状に復元していく。
【００３８】
更に、前記底部２３には複数個の通気孔２３０２が形成されており、この通気孔２３０２は、底部２３の上方側から底部２３の下方側への空気の移動は許容するが、底部２３の下方側から底部２３の上方側への空気の移動を阻止する逆止弁としての機能を有している。即ち、前記通気孔２３０２は、図５において矢印で示す方向、底部２３の上方側から下方側への空気の移動のみを許容している。なお、この逆止弁の構造は特に限定しないが、本実施例においては、凸状部２３０１部分に通気孔２３０２を有しているため、この凸状部２３０１が下方側へ変形した際に通気孔２３０２が塞がれる構成としている。
【００３９】
次に、前記底部２３の左右の周縁部にはそれぞれ、上方に向けて左右側壁２４が連設されており、この左右側壁２４はそれぞれ、図４に示すように、前方から後方に向けて徐々に高さ寸法を多くするとともに、図５に示されるように、僅かに外側に向けて傾斜させている。
【００４０】
また、前記底部２３の後方側の周縁部には、上方に向けて後部側壁部２５が連設されており、この後部側壁部２５はその両端において前記左右側壁２４と連設されており、これにより、前記底部２３、左右側壁部２４及び後部側壁部２５によって踵部分を包み込むことを可能としている。
【００４１】
次に、図１、図４、図５に示されるように、前記底部２３の前方側、左右側、及び後方側の周縁部には、下方に向けて、その下端が靴底に当接する脚部２６が連設されている。そして、この脚部２６は、図４に示されるように、後方に向けて徐々に高さ寸法を多くしており、これにより、第２の中敷き２１を靴底に設置した際には前記底部２３が前方に向けて僅かに傾くようにしている。また、前記底部２３の前方側の周縁部に連設した脚部２６には、複数個の排気孔２６０１が形成されている。
【００４２】
そして、本実施例においては、前記底部２３、左右側壁部２４、後部側壁部２５、及び脚部２６を弾性部材により一体に形成し、これにより中敷き本体２２を構成している。
【００４３】
次に、図において２７は弾性空間である。即ち、本実施例の靴１においては、前記底部２３と前記脚部２６で囲まれる空洞部を弾性空間２７としており、この弾性空間２７は、前記底部２３が踵による荷重を受けることにより変形するとともに、加わった荷重が無くなるか少なくなると元の形状に復元する。
【００４４】
また、前記弾性空間２７内の空洞部は、例えばスポンジ等の弾性体２８で満たされており、この弾性体２８は、前記通気孔２３０２を介して内部に空気を受け入れることを可能としている。
【００４５】
次に、このように構成される第２の中敷き２１の作用について図６乃至図８を参照して説明すると、図６乃至図８は第２の中敷き２１と踵部分Ｈとの関係を示した図であり、図６において、足をアウトソール２とアッパー３により囲まれる空間４内（図１参照）に挿入して底部２３に踵Ｈからの荷重がかかると、底部２３はその荷重により下方に変形する。
【００４６】
そうすると、本実施例における第２の中敷き２１では、前記底部２３、左右側壁部２４、後部側壁部２５、及び脚部２６を一体に形成して中敷き本体２２を構成しているために、底部２３の凸状部２３０１が下方に変形すると、左右側壁２４及び後部側壁２５は内側に傾き、これにより、左右側壁２４と後部側壁２５によって踵Ｈを把持することができ、従って、中敷きを踵Ｈに適合させることができる。この状態を示した図が図７である。
【００４７】
またこのとき、底部２３の凸状部２３０１の下方への変形とともに、弾性空間２７の空洞部を満たしている弾性体２８も変形し、弾性体２８の内部の空気は脚部２６に形成した排気孔２６０１を介して排気される。
【００４８】
次に、前記弾性空間２７は、弾性体２８の弾性により、圧力を受けることにより変形するとともに受けた圧力が解除されることにより復元可能であるため、底部２３への踵Ｈの荷重により変形した後には、元の形状に復元しようとする性質を有する。従って、弾性空間２７は、歩行周期において、踵着床期から足底接地期にかけて踵Ｈからの荷重がかかると縮むが、趾離床期から遊脚期にかけて荷重が解除されるにしたがって元の状態に向けて膨らんでいく。
【００４９】
その一方、弾性体２８が復元していく過程においては弾性体２８の内部に空気が入り込んでいくが、弾性体２８への空気の流入は前記通気孔２３０２を介して行われるところ、通気孔２３０２より弾性体２８への空気の流入量は底部２３上にある踵Ｈの存在により制限されるので、弾性体２８は直ちには膨らまないとともに、膨らんだ場合でも、踵Ｈを底部上に乗せる以前の状態までには復元しない。そのため、底部２３に荷重がかからない趾離床期から遊脚期にかけても底部２３の上方の間口間は大きくは開口せず、従って、歩行全周期において踵Ｈへの適合性を維持することができる。この状態を示した図が図８である。
【００５０】
このように、本実施例における第２の中敷き２１では、足を靴の内部に挿入して底部２３に踵Ｈからの荷重がかかると、左右側壁２４及び後部側壁２５により踵Ｈを把持して靴１を踵Ｈに適合させることができるとともに、底部２３に荷重がかからない趾離床期から遊脚期にかけても踵Ｈの把持を維持し、歩行全周期において踵Ｈへの適合性を維持することができる。従って、この第２の中敷き２１を備えた本実施例の靴１では、前述のように靴内において裸足歩行時と近似した足部の重心移動を得ることができるとともに、靴ひもを締めることなく、足部の挿入時に踵Ｈへ適合させるとともにこの適合性を維持することが可能な靴とすることができる。
【００５１】
また、第２の中敷き２１によって、足部の挿入時、及び趾離床期から遊脚期にかけて靴内に空気の流れを生じさせるために、靴内の湿潤環境を改善することも可能である。
【００５２】
但し、本発明においては、この第２の中敷き２１は必ずしも必要なものではなく、これを備えない形態としてもよい。
【００５３】
また、第２の中敷き２１についても、前記アウトソール２の上部に配置されていればよく、前記アウトソール２の上部に固着してもよく、あるいは着脱自在に載置してもよい。
【００５４】
更に、前述の説明では、アウトソール２の上に中敷き１１を具備した形態を説明したが、アウトソール２の上に更にミッドソールを配置し、このミッドソール上に中敷き１１を固着あるいは着脱自在に備えた形態としてもよい。
【産業上の利用可能性】
【００５５】
本発明では、裸足歩行の場合の重心移動に近似した重心移動を得ることにより足部の易疲労性や障害を防止可能としているため、通勤靴、運動靴、上履き等の靴全般に適用可能である。
【図面の簡単な説明】
【００５６】
【図１】本発明の靴の実施例の縦断側面構造を示す図である。
【図２】本発明の靴の実施例に用いる中敷きを一部切り欠いて示した概略斜視図である。
【図３】本発明の靴の実施例に用いる中敷きの作用を説明するための図である。
【図４】本発明の靴の実施例に用いる第２の中敷きの概略斜視図である。
【図５】本発明の靴の実施例に用いる第２の中敷きの縦断正面構造を示した図である。
【図６】本発明の靴の実施例に用いる第２の中敷きの作用を説明するための図である。
【図７】本発明の靴の実施例に用いる第２の中敷きの作用を説明するための図である。
【図８】本発明の靴の実施例に用いる第２の中敷きの作用を説明するための図である。
【符号の説明】
【００５７】
１    靴
２    アウトソール
３    アッパー
４    アウトソールとアッパーにより囲まれる空間
１１    中敷き
１２    外皮
１３    ブロック
２１    第２の中敷き
２２    中敷き本体
２３    底部
２３０１    凸状部
２３０２    通気孔
２４    左右側壁
２５    後部側壁
２６    脚部
２６０１    排気孔
２７    弾性空間
２８    弾性体（スポンジ）
【図１】
2009045213.tif 000003
【図２】
2009045213.tif 000004
【図３】
2009045213.tif 000005
【図４】
2009045213.tif 000006
【図５】
2009045213.tif 000007
【図６】
2009045213.tif 000008
【図７】
2009045213.tif 000009
【図８】
2009045213.tif 000010